(57)【特許請求の範囲】
【請求項１】
指掛環を有する両柄の開閉操作により開閉し得る両刃体を備えた鋏を挿脱開口から挿入して収容する収容部を備えたケースにおいて、
この収容部は各壁により挿脱開口を有する筒状をなし、この収容部に対する鋏の収容状態で少なくとも両柄の指掛環が露出する収容部の挿脱開口で収容部の壁から上側へ載置台を延設し、この載置台において両柄の開閉方向の両側で収容部の壁に収容部の挿脱開口から下側へ延びる両切込みを形成してその両切込みにより収容部側の基端部を収容部の挿脱開口よりも下側に形成し、この載置台は、その基端部から収容部の上側へ一体に延設されて上下方向で基端部から自由端部に渡る片持ち梁状の板ばねをなし、鋏の収容時に両柄の指掛環を載置した状態で両柄の開閉方向を含む面に対し直交する方向の弾性を有し、
この載置台には、両指掛環の載置状態で鋏が収容部の挿脱開口から上側へ抜けるのを規制するように、この指掛環の内側に設けた指掛孔に係入される係止部を設け、この係止部は、収容部に対する鋏の挿入時に載置台がその弾性に抗して撓んで、指掛孔に係入されるとともに、収容部に対する鋏の離脱時に載置台がその弾性に抗して撓んで、指掛孔から抜ける
ことを特徴とする鋏用ケース。
【請求項２】
前記載置台において延設方向の先端部には折曲されて載置台の弾性方向へ突出する指当部を形成し、その指当部には載置台をその弾性に抗して撓ませ得るように指当面を設けたことを特徴とする請求項１に記載の鋏用ケース。
【請求項３】
前記載置台は、前記両切込み間で自由端部から収容部の挿脱開口よりも下側に延設した切込みにより、両柄の開閉方向の両側でそれぞれ互いに分離されて設けられた一対の台部であり、
前記係止部はこの両台部にそれぞれ設けられ、この両台部の係止部のうち、一方の係止部は両指掛環の指掛孔のうち一方の指掛孔に係入され、他方の係止部は両指掛環の指掛孔のうち他方の指掛孔に係入される
ことを特徴とする請求項１または請求項２に記載の鋏用ケース。
【発明の詳細な説明】
【０００１】
【発明の属する技術分野】
本発明は、各種鋏を収容するケースに関するものである。
【０００２】
【従来の技術】
従来、特開平１１−９８５０号公報に示す文房具セット（鋏用ケース）においては、同公報の図１〜３または図４〜５に示すように、収容部（定規６，２１）に係止突部（係止片８ａ，８ｂまたは係合部２６ａ，２６ｂ）が形成され、係止突部が指掛環の指掛孔（指環５ａ，５ｂ）に係入されるようになっている。鋏（洋ばさみ１）は開閉方向を含む面に対し直交する方向で収容部に対し着脱され、収容状態では刀身（はさみ片２ａ，２ｂ）ばかりでなく柄（握り部４ａ，４ｂ）も収容部に載置される。
【０００３】
【発明が解決しようとする課題】
前記文房具セット（鋏用ケース）においては、既存の指掛環を有効に利用した簡単な構造により、収容状態で鋏を保持することはできる。しかし、例えば看護婦が着用する白衣の胸ポケットに鋏用ケースを入れた状態で使用する場合には、ケースをわざわざ胸ポケットから取り出し、そのケースに対し鋏を挿脱させねばならず、鋏を頻繁に使用する場合には大変面倒である。
【０００４】
この発明は、既存の指掛環を有効に利用した鋏の保持構造を有する鋏用ケースにおいて、使用時に鋏の挿脱を容易にすることを目的としている。
【０００５】
【課題を解決するための手段及び発明の効果】
後記実施形態の図面（図１〜４に示す第一実施形態及びその別例、図５に示す第二実施形態、図６〜８に示す第三実施形態及びその別例１，２）の符号を援用して本発明を説明する。
【０００６】
＊  請求項１の発明
この発明にかかる鋏用ケース（１）は、第一実施形態及びその別例、第二実施形態並びに第三実施形態及びその別例１，２に対応し、下記のように構成されている。
【０００７】
この鋏用ケース（１）においては、指掛環（７）を有する両柄（５）の開閉操作により開閉し得る両刃体（６）を備えた鋏（２）を挿脱開口（１２）から挿入して収容する収容部（１０）を備えている。この鋏（２）は西洋鋏または握り鋏である。この指掛環（７）の内側に設けた指掛孔（８）については、完全な環状でなくてもよく、指掛環（７）に切欠きを設けて指掛孔（８）を指掛環（７）の外側へ開放してもよい。
【０００８】
この収容部（１０）は各壁（１０ａ，１０ｂ，１０ｃ）により挿脱開口（１２）を有する筒状をなしている。この収容部（１０）に対する鋏（２）の収容状態で少なくとも両柄（５）の指掛環（７）が露出する収容部（１０）の挿脱開口（１２）で収容部（１０）の壁（１０ｂ）から上側へ載置台（１１，１７）を延設している。この載置台（１１，１７）において両柄（５）の開閉方向（左右方向Ｙ）の両側で収容部（１０）の壁（１０ｂ）に収容部（１０）の挿脱開口（１２）から下側へ延びる両切込み（１５）を形成してその両切込み（１５）により収容部（１０）側の基端部（１１ａ，１７ａ）を収容部（１０）の挿脱開口（１２）よりも下側に形成し、この載置台（１１，１７）は、その基端部（１１ａ，１７ａ）から収容部（１０）の上側へ一体に延設されて上下方向（Ｚ）で基端部（１１ａ，１７ａ）から自由端部（１１ｂ，１７ｂ）に渡る片持ち梁状の板ばねをなし、鋏（２）の収容時に両柄（５）の指掛環（７）を載置した状態で両柄（５）の開閉方向（左右方向Ｙ）を含む面（Ｈ）に対し直交する方向（前後方向Ｘ）の弾性を有している。この載置台（１１，１７）には、両指掛環（７）の載置状態で鋏（２）が収容部（１０）の挿脱開口（１２）から上側へ抜けるのを規制するように、この指掛環（７）の内側に設けた指掛孔（８）に係入される係止部（係止突部１６）を設けている。この係止部（１６）は、収容部（１０）に対する鋏（２）の挿入時に載置台（１１，１７）がその弾性に抗して撓んで、指掛孔（８）に係入されるとともに、収容部（１０）に対する鋏（２）の離脱時に載置台（１１，１７）がその弾性に抗して撓んで、指掛孔（８）から抜ける。例えば、この係止部（１６）は、載置台（１１，１７）を押してその弾性に抗して撓ませるか、または、柄（５）に当接して載置台（１１，１７）がその弾性に抗して撓むことにより、指掛孔（８）に係入されるとともに、指掛孔（８）から抜ける。ちなみに、請求項３の発明以外に、挿脱開口（１２）から上側へ一つの載置台（１１）を延設し、この載置台（１１）において両柄（５）の開閉方向（Ｙ）の両側でそれぞれ前記係止部（１６）を設け、この載置台（１１）の両係止部（１６）のうち、一方の係止部（１６）を両指掛環（７）の指掛孔（８）のうち一方の指掛孔（８）に係入し、他方の係止部（１６）を両指掛環（７）の指掛孔（８）のうち他方の指掛孔（８）に係入する。また、前記係止部（１６）については、一または二以上設ける。なお、前記載置台（１１，１７）に対する両指掛環（７）の載置状態とは、両指掛環（７）が載置台（１１，１７）に対し接触する状態ばかりではなく若干浮いて離れた状態も含む。
【０００９】
この発明では、収容状態で柄（５）も載置台（１１，１７）に安定性良く載置することができるとともに、既存の指掛環（７）を有効に利用した簡単な構造により鋏（２）を収容状態で保持することができるばかりではなく、例えば看護婦が着用する白衣の胸ポケット（Ｐ）に鋏用ケース（１）を入れた状態で使用する場合には、鋏用ケース（１）をわざわざ胸ポケット（Ｐ）から取り出す必要がなくなる。従って、使用時に鋏（２）を鋏用ケース（１）に対し容易に挿脱することができ、鋏（２）を頻繁に使用する場合には大変便利である。
また、この発明では、片持ち梁状の載置台（１１，１７）において基端部（１１ａ，１７ａ）から先端部である自由端部（１１ｂ，１７ｂ）までの長さを大きく設定することができるので、収容状態で柄（５）を載置台（１１，１７）に安定性良く載置するために載置台（１１，１７）の肉厚を大きくした場合でも、鋏（２）の挿脱に必要な適度な弾性を載置台（１１，１７）に持たせることができる。従って、使用時に鋏（２）を鋏用ケース（１）に対しより一層容易に挿脱することができる。
＊  請求項２の発明
この発明は、第三実施形態の別例２に対応し、請求項１の発明を前提として下記のように構成されている。
前記載置台（１１）において延設方向（Ｚ）の先端部には折曲されて載置台（１１）の弾性方向（Ｘ）へ突出する指当部（１９）を形成し、その指当部（１９）には載置台（１１）をその弾性に抗して撓ませ得るように指当面（２０）を設けている。
この発明では、収容部（１０）に対する鋏（２）の挿脱時に指当部（１９）の指当面（２０）に指を当てがって載置台（１１）を撓ませ易くなる。従って、使用時に鋏（２）を鋏用ケース（１）に対しより一層容易に挿脱することができる。
【００１０】
＊  請求項３の発明
この発明は、第二実施形態に対応し、請求項１または請求項２の発明を前提として下記のように構成されている。
【００１１】
前記載置台は、前記両切込み（１５）間で自由端部（１１ｂ，１７ｂ）から収容部（１０）の挿脱開口（１２）よりも下側に延設した切込み（１８）により、両柄（５）の開閉方向（左右方向Ｙ）の両側でそれぞれ互いに分離されて設けられた一対の台部（１７）である。前記係止部（係止突部１６）はこの両台部（１７）にそれぞれ設けられている。この両台部（１７）の係止部（１６）のうち、一方の係止部（１６）は両指掛環（７）の指掛孔（８）のうち一方の指掛孔（８）に係入され、他方の係止部（１６）は両指掛環（７）の指掛孔（８）のうち他方の指掛孔（８）に係入される。
【００１２】
この発明では、互いに分離されて設けられた一対の台部（１７）を両係止部（１６）と両柄（５）及びそれらの指掛環（７）との位置関係に応じて別々に撓ませることができるので、使用時に鋏（２）を鋏用ケース（１）に対しより一層容易に挿脱することができる。
【００２４】
【発明の実施の形態】
〔第一実施形態及びその別例〕
まず、本発明の第一実施形態にかかる鋏用ケースについて図１〜４を参照して説明する。
【００２５】
図１、図２及び図４（ｂ）に示すように、樹脂製のケース１に収容される鋏２は、西洋鋏であって、看護婦が包帯切り等に使用するものである。この西洋鋏２においては、両刀身３が開閉中心部４で回動可能に支持され、この開閉中心部４よりも基端側で両刀身３に樹脂製の柄５が設けられているとともに、この開閉中心部４よりも先端側で両刀身３に刃体６が設けられている。この両柄５には指掛環７が設けられている。この指掛環７の内側には指掛孔８が設けられている。この両刃体６の先端側は屈曲されて曲線状をなしている。この刃体６の先端部には樹脂製のガード９が取着されている。両刃体６は両柄５の開閉操作により開閉する。
【００２６】
前記ケース１は、収容部１０と載置台１１とからなり、樹脂により一体成形されている。この収容部１０は前壁１０ａと後壁１０ｂと左右両側壁１０ｃとにより筒状をなしている。この収容部１０の上端部には各壁１０ａ，１０ｂ，１０ｃの上端縁間で挿脱開口１２が形成されている。この収容部１０の下端部には各壁１０ａ，１０ｂ，１０ｃの下端縁間で開放口１３が形成されている。この前壁１０ａの外側にはクリップ１４が形成されている。このクリップ１４の内側には抜止め凹凸部１４ａが、左右方向Ｙの全体または左右方向Ｙの中央部または左右方向Ｙの両側に形成されている。
【００２７】
前記ケース１の載置台１１は、前記収容部１０側の基端部１１ａから収容部１０の外側（上側）へ一体に延設され、上下方向Ｚ（延設方向）で基端部１１ａから自由端部１１ｂ（先端部）に渡る片持ち梁状の板ばねをなしている。この収容部１０の後壁１０ｂにはその左右両側壁１０ｃに沿って切込み１５が収容部１０の挿脱開口１２から内側（下側）に延設されている。その左右両切込み１５により、この載置台１１の基端部１１ａが収容部１０の挿脱開口１２よりも内側（下側）に形成されている。この載置台１１は収容部１０の前壁１０ａと後壁１０ｂとを結ぶ前後方向Ｘ（弾性方向）の弾性を有している。この載置台１１の自由端部１１ｂでその前面の左右両側には係止突部１６が形成されている。図２（ｂ）に示す係止突部１６においてその上側係止面１６ａ及び下側係止面１６ｂは、自由端部１１ｂの前面に対し９０度に近い角度で立ち上がっている。また、図２（ｃ）に示す別例にかかる係止突部１６においてその上側係止面１６ｃ及び下側係止面１６ｄは、自由端部１１ｂの前面に対し所定角度（例えば約４５度）で傾斜している。
【００２８】
このように構成されたケース１は、例えば看護婦が着用する白衣の胸ポケットＰに入れられてクリップ１４により止められる。鋏２は、互いに閉じられた状態で収容部１０の載置台１１に当てがわれて胸ポケットＰ内のケース１に対し上下方向Ｚへ挿入され、例えば図３（ａ）（ｂ）及び図４（ａ）に示す挿入過程を経て、図２及び図４（ｂ）に示すようにこのケース１に収容される。
【００２９】
図３（ａ）に示す状態では、両刃体６が挿脱開口１２から収容部１０に挿入され、両柄５が載置台１１の両係止突部１６に接近する。次に、図２（ｂ）に示す係止突部１６を押して載置台１１をその弾性に抗して強制的に撓ませるか、または、図２（ｃ）に示す係止突部１６の上側係止面１６ｃに柄５が当接して載置台１１がその弾性に抗して撓むことにより、柄５は図３（ｂ）または図４（ａ）に示すように係止突部１６に載り上げる。挿脱開口１２において両柄５の開閉方向（左右方向Ｙ）の両側の内周縁部１２ａ間の寸法は、互いに閉じられた両刀身３（鋏２）において両柄５の開閉方向（左右方向Ｙ）における寸法よりも大きく設定されている。そのため、図３（ａ）（ｂ）及び図４（ａ）に示す挿入過程では、後記収容状態に至るまで、挿脱開口１２の内周縁部１２ａに対し両刀身３（鋏２）が間隔をあけて挿入される。従って、例えば両刀身３（鋏２）がたとえ若干開いていても挿入でき、胸ポケットＰで隠されたケース１の収容部１０に対し鋏２を挿入し易くなる。
【００３０】
さらに、図２及び図４（ｂ）に示す収容状態では、両柄５が載置台１１に載置されて両柄５の一部が挿脱開口１２から収容部１０に挿入されるとともに両柄５の指掛環７が収容部１０の挿脱開口１２から露出し、載置台１１がその弾性により復帰して左右両係止突部１６が左右両指掛孔８に係入される。その係入により、鋏２が収容部１０の挿脱開口１２から外側へ抜けるのを規制する。この左右両係止突部１６の頂面１６ｅは、左右両指掛孔８の内側範囲（左右両指掛環７の前後両内周縁７ａ，７ｂ間）に位置している。ちなみに、この載置台１１は両柄５の開閉方向（左右方向Ｙ）を含む面Ｈに対し直交する前後方向Ｘの弾性を有している。
【００３１】
また、前記収容状態では、収容部１０に挿入された両柄５の一部が挿脱開口１２の内周縁部１２ａ（当接部）またはその付近の各壁１０ａ，１０ｂ，１０ｃの内面（当接部）に当接するとともに、両刃体６が開放口１３から露出し、この開放口１３の内周縁部１３ａと両刀身３との間に隙間Ｇが生じる。また、この挿脱開口１２と開放口１３との間においても、収容部１０の内面と両刀身３（鋏２）との間に隙間Ｇが生じる。それらの隙間Ｇにより、前記内周縁部１２ａ（当接部）を支えとして両刀身３が前後方向Ｘや左右方向Ｙへ動くのを許容する。それらの隙間Ｇがあると、鋏２の収容時、両刀身３及びそれらの刃体６には収容部１０に対する自由度が生じるため、胸ポケットＰで隠されたケース１の収容部１０に対し鋏２を挿入し易くなる。
【００３２】
逆に、鋏２は、図２及び図４（ｂ）に示す収容状態から、図３（ｂ）または図４（ａ）や図３（ａ）に示す過程を経て、胸ポケットＰ内のケース１から出される。その場合、図２（ｂ）に示す係止突部１６を押して載置台１１をその弾性に抗して強制的に撓ませるか、または、図２（ｃ）に示す係止突部１６の下側係止面１６ｄに柄５が当接して載置台１１がその弾性に抗して撓むことにより、柄５は図３（ｂ）または図４（ａ）に示すように係止突部１６に載り上げる。
【００３３】
〔図５に示す第二実施形態〕
前記載置台１１は、両柄５の開閉方向（左右方向Ｙ）の両側でそれぞれ互いに分離されて延設された一対の台部１７であって、この左右両台部１７を区分する中央の切込み１８が前記左右両切込み１５に沿って収容部１０の挿脱開口１２から内側（下側）に基端部１７ａまで延設されている。この左右両台部１７の自由端部１７ｂにそれぞれ係止突部１６が形成されている。この別例の場合も、鋏２が前述した過程を経てケース１に対し入出される。
【００３４】
〔第三実施形態及びその別例１，２〕
図６に示す第三実施形態、図７に示す第三実施形態の別例１及び図８に示す第三実施形態の別例２において、前記載置台１１の自由端部１１ｂで左右方向Ｙの中央部には指当部１９が形成されている。第三実施形態の指当部１９は自由端部１１ｂの後側へ膨出されて形成され、その指当部１９の前側に形成された凹部１９ａが自由端部１１ｂの前方及び上方へ開放されているとともに、この凹部１９ａ内には指当面２０が形成されている。第三実施形態の別例１の指当部１９においては、凹部１９ａが斜めに切り欠いて形成されて自由端部１１ｂの前方及び上方へ開放されているとともに、この凹部１９ａ内には指当面２０が形成されている。これらの指当面２０は載置台１１に対する両指掛環７の載置状態においてその指掛環７との間で指当溝２１ができる。第三実施形態の別例２の指当部１９は自由端部１１ｂの後側へ折曲されて形成され、載置台１１に対する両指掛環７の載置状態において指当面２０が指掛環７から載置台１１の弾性方向（前後方向Ｘ）へ突出して上方を向いている。いずれの指当部１９についても、収容部１０に対する鋏２の挿脱時に指を指当面２０に当てがって載置台１１をその弾性に抗して撓ませることができる。
【図面の簡単な説明】
【図１】  第一実施形態にかかる鋏用ケースを示す斜視図である。
【図２】  （ａ）は第一実施形態のケースに対する鋏の収容状態を示す正面図であり、（ｂ）は同じく側面図であり、（ｃ）は第一実施形態の別例にかかるケースに対する鋏の収容状態を示す側面図である。
【図３】  第一実施形態にかかるケースに鋏を収容する過程を正面側から見た断面図である。
【図４】  第一実施形態にかかるケースに鋏を収容する過程を正面側から見た断面図である。
【図５】  第二実施形態にかかる鋏用ケースを示す斜視図である。
【図６】  （ａ）は第三実施形態のケースに対する鋏の収容状態を示す正面図であり、（ｂ）は同じく一部切欠き側面図であり、（ｃ）は（ｂ）の部分拡大断面図である。
【図７】  （ａ）は第三実施形態の別例１のケースに対する鋏の収容状態を示す正面図であり、（ｂ）は同じく一部切欠き側面図であり、（ｃ）は（ｂ）の部分拡大断面図である。
【図８】  （ａ）は第三実施形態の別例２のケースに対する鋏の収容状態を示す正面図であり、（ｂ）は同じく一部切欠き側面図であり、（ｃ）は（ｂ）の部分拡大断面図である。
【符号の説明】
１…鋏用ケース、２…鋏、５…柄、６…刃体、７…指掛環、８…指掛孔、１０…収容部、１０ａ…前壁、１０ｂ…後壁、１０ｃ…側壁、１１…載置台、１１ａ…基端部、１１ｂ…自由端部、１２…挿脱開口、１３…開放口、１４…クリップ、１５…切込み、１６…係止突部（係止部）、１７…台部（載置台）、１７ａ…基端部、１７ｂ…自由端部、１８…切込み、２０…指当面、２１…指当溝、Ｘ…前後方向（弾性方向）、Ｙ…左右方向（開閉方向）、Ｚ…上下方向（延設方向）、Ｈ…面、Ｇ…隙間。
【図１】
0004264239.tif 000002
【図２】
0004264239.tif 000003
【図３】
0004264239.tif 000004
【図４】
0004264239.tif 000005
【図５】
0004264239.tif 000006
【図６】
0004264239.tif 000007
【図７】
0004264239.tif 000008
【図８】
0004264239.tif 000009